【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
タッチパネル上への接触点を検出し、接触の継続時間を計測する時間計測手段と、
前記接触点の連続的な移動を検出し、当該移動距離を計測する距離計測手段と、
前記継続時間が所定時間以上であり、且つ、前記移動距離が所定距離以上である場合には、予め設定された機能を実行する実行手段と、
を備えることを特徴とする端末装置。
【請求項２】
請求項１に記載の端末装置において、
前記接触点が連続的に移動した移動方向を検出する方向検出手段を更には備え、
前記実行手段は、前記継続時間が所定時間以上であり、且つ、前記移動距離が所定距離以上である場合には、前記検出された移動方向が含まれる方向範囲に対して予め設定された機能を実行することを特徴とする端末装置。
【請求項３】
請求項１又は請求項２に記載の端末装置において、
前記実行手段は、前記継続時間が所定時間以上であり、且つ、前記移動距離が所定距離以上である場合には、前記継続時間が含まれる時間範囲に対して予め設定された機能を実行することを特徴とする端末装置。
【請求項４】
タッチパネル上への接触点を検出し、接触の継続時間を計測する時間計測工程と、
前記接触点の連続的な移動を検出し、当該移動距離を計測する距離計測工程と、
前記継続時間が所定時間以上であり、且つ、前記移動距離が所定距離以上である場合には、予め設定された機能を実行する実行工程と、
を有することを特徴とする機能実行方法。
【請求項５】
コンピュータを、
タッチパネル上への接触点を検出し、接触の継続時間を計測する時間計測手段、
前記接触点の連続的な移動を検出し、当該移動距離を計測する距離計測手段、及び、
前記継続時間が所定時間以上であり、且つ、前記移動距離が所定距離以上である場合には、予め設定された機能を実行する実行手段、
として機能させることを特徴とする機能実行プログラム。
【請求項６】
端末装置と、当該端末装置がネットワークを介して接続可能なサーバ装置と、を備える情報処理システムであって、
前記端末装置は、
タッチパネル上への接触点を検出し、接触の継続時間を計測する時間計測手段と、
前記接触点の連続的な移動を検出し、当該移動距離を計測する距離計測手段と、
前記継続時間が所定時間以上であり、且つ、前記移動距離が所定距離以上である場合には、予め設定された機能の実行要求を前記サーバ装置に送信する送信手段と、
を備え、
前記サーバ装置は、
前記端末装置から送信された前記実行要求を受信する受信手段と、
前記受信された実行要求に対応する処理を実行する処理手段と、
を備えることを特徴とする情報処理システム。
【手続補正２】
【補正対象書類名】明細書
【補正対象項目名】０００４
【補正方法】変更
【補正の内容】
【０００４】
そこで、特許文献１に記載された技術では、タッチパネルをユーザが接触した時に、接触点を中心に４方向の各方向に対して所定の機能が割り当てられた４つの領域が表示され、前記タッチパネルが一度デタッチ状態となった後、再度ユーザが何れかの機能が割り当てられた領域に接触すると所定の機能が実行されるようになっている。
【手続補正３】
【補正対象書類名】明細書
【補正対象項目名】０００９
【補正方法】変更
【補正の内容】
【０００９】
上記課題を解決するために、請求項１に記載の発明は、タッチパネル上への接触点を検出し、接触の継続時間を計測する時間計測手段と、前記接触点の連続的な移動を検出し、当該移動距離を計測する距離計測手段と、前記継続時間が所定時間以上であり、且つ、前記移動距離が所定距離以上である場合には、予め設定された機能を実行する実行手段と、を備えることを特徴とする。
【手続補正４】
【補正対象書類名】明細書
【補正対象項目名】００１０
【補正方法】変更
【補正の内容】
【００１０】
この発明によれば、タッチパネル上に接触し、所定時間以上接触を継続し、接触を継続しながら連続的に接触点を所定距離以上移動させる操作をユーザが行うことで、予め設定された機能が実行されるので、タッチパネル上に元々表示されていたオブジェクトが誤って選択されない。また、キャンセル操作をしなくてもタッチパネルを一度デタッチ状態にすることでタッチパネル上に元々表示されているオブジェクトも操作可能であり、ユーザは、接触及び移動という一連の操作、つまり、１アクションで機能を実行させることができるので、利便性の高いタッチパネルの操作方法を提供することができる。
【手続補正５】
【補正対象書類名】明細書
【補正対象項目名】００１１
【補正方法】変更
【補正の内容】
【００１１】
請求項２に記載の発明は、請求項１に記載の端末装置において、前記接触点が連続的に移動した移動方向を検出する方向検出手段を更には備え、前記実行手段は、前記継続時間が所定時間以上であり、且つ、前記移動距離が所定距離以上である場合には、前記検出された移動方向が含まれる方向範囲に対して予め設定された機能を実行することを特徴とする。
【手続補正６】
【補正対象書類名】明細書
【補正対象項目名】００１３
【補正方法】変更
【補正の内容】
【００１３】
請求項３に記載の発明は、請求項１又は請求項２に記載の端末装置において、前記実行手段は、前記継続時間が所定時間以上であり、且つ、前記移動距離が所定距離以上である場合には、前記継続時間が含まれる時間範囲に対して予め設定された機能を実行することを特徴とする。
【手続補正７】
【補正対象書類名】明細書
【補正対象項目名】００１４
【補正方法】変更
【補正の内容】
【００１４】
この発明によれば、接触の継続時間をユーザが決めることで複数の機能の中から所望の機能を選択して実行させることができるので、より利便性を高めることができる。
【手続補正８】
【補正対象書類名】明細書
【補正対象項目名】００１５
【補正方法】変更
【補正の内容】
【００１５】
請求項４に記載の発明は、タッチパネル上への接触点を検出し、接触の継続時間を計測する時間計測工程と、前記接触点の連続的な移動を検出し、当該移動距離を計測する距離計測工程と、前記継続時間が所定時間以上であり、且つ、前記移動距離が所定距離以上である場合には、予め設定された機能を実行する実行工程と、を有することを特徴とする。
【手続補正９】
【補正対象書類名】明細書
【補正対象項目名】００１６
【補正方法】変更
【補正の内容】
【００１６】
請求項５に記載の発明は、コンピュータを、タッチパネル上への接触点を検出し、接触の継続時間を計測する時間計測手段、前記接触点の連続的な移動を検出し、当該移動距離を計測する距離計測手段、及び、前記継続時間が所定時間以上であり、且つ、前記移動距離が所定距離以上である場合には、予め設定された機能を実行する実行手段、として機能させることを特徴とする。
【手続補正１０】
【補正対象書類名】明細書
【補正対象項目名】００１７
【補正方法】変更
【補正の内容】
【００１７】
請求項６に記載の発明は、端末装置と、当該端末装置がネットワークを介して接続可能なサーバ装置と、を備える情報処理システムであって、前記端末装置は、タッチパネル上への接触点を検出し、接触の継続時間を計測する時間計測手段と、前記接触点の連続的な移動を検出し、当該移動距離を計測する距離計測手段と、前記継続時間が所定時間以上であり、且つ、前記移動距離が所定距離以上である場合には、予め設定された機能の実行要求を前記サーバ装置に送信する送信手段と、を備え、前記サーバ装置は、前記端末装置から送信された前記実行要求を受信する受信手段と、前記受信された実行要求に対応する処理を実行する処理手段と、を備えることを特徴とする。
【手続補正１１】
【補正対象書類名】明細書
【補正対象項目名】００１９
【補正方法】変更
【補正の内容】
【００１９】
本発明によれば、タッチパネル上に接触し、所定時間以上接触を継続し、接触を継続しながら連続的に接触点を所定距離以上移動させる操作をユーザが行うことで、予め設定された機能が実行されるので、タッチパネル上に元々表示されていたオブジェクトが誤って選択されない。また、キャンセル操作をしなくてもタッチパネルを一度デタッチ状態にすることでタッチパネル上に元々表示されているオブジェクトも操作可能であり、ユーザは、接触及び移動という一連の操作、つまり、１アクションで機能を実行させることができるので、利便性の高いタッチパネルの操作方法を提供することができる。